【事件の表示】
　特許第２８１１２９１号「パチンコ機」の請求項１ないし３に係る特許に対する特許異議の申立てについて、次のとおり決定する。
【結論】
　特許第２８１１２９１号の請求項１ないし３に係る特許を維持する。
【理由】
（１）本件発明
　特許第２８１１２９１号（平成７年４月１３日出願、平成１０年８月７日設定登録。）の請求項１ないし３に係る発明は、それぞれ、その特許請求の範囲の請求項１ないし３に記載された次の事項により特定されるとおりのものである。
「【請求項１】図柄を順に並べて成る図柄列を複数表示し、複数の図柄列を順次停止して、図柄列の停止状態において表示されている図柄の組み合わせが、予め定められた第１の当たり図柄の場合に第１の利益ある状態を提供し、予め定められた第２の当たり図柄の場合に第２の利益ある状態を提供するパチンコ機であって、最初に停止される図柄列において、停止時に表示される複数個の図柄に前記第１の当たり図柄を構成する図柄と、第２の当たり図柄とを構成する図柄とが同時に表示できるよう構成したことを特徴とするパチンコ機。
　【請求項２】第１の利益ある状態が提供される第１の当たりと、第２の利益ある状態が提供される第２の当たりとが設けられたパチンコ機であって、図柄ラインに並べられた図柄を変動表示する図柄表示装置であって、複数の図柄ラインが設けられ、複数の図柄ラインに第１の当たりに対応する図柄と、第２の当たりに対応する図柄とを同時に表示し得る図柄表示装置と、前記図柄表示装置を制御して図柄を変動表示させる図柄制御手段と、前記図柄表示装置の複数の図柄ラインのいずれが有効かを表示する有効ライン特定手段と、を有し、第１の当たり又は第２の当たりが発生した際に、前記図柄制御手段が、前記図柄表示装置に前記第１の当たりに対応する図柄と第２の当たりに対応する図柄とを同時に表示させ、第１の当たりのときには、有効ライン特定手段が、第１の当たり図柄の表示されている図柄ラインが有効であることを表示し、第２の当たりのときには、有効ライン特定手段が、第２の当たり図柄の表示されている図柄ラインが有効であることを表示することを特徴とするパチンコ機。
　【請求項３】高確率状態と低確率状態とを切り換えて当たりを決定するパチンコ機であって、図柄ラインに並べられた図柄を変動表示する図柄表示装置であって、複数の図柄ラインが設けられ、複数の図柄ラインに高確率状態へ移行する当たり（以下第１の当たりという）に対応する図柄と、高確率状態へ移行しない当たり（以下第２の当たりという）に対応する図柄とを同時に表示し得る図柄表示装置と、前記図柄表示装置を制御して図柄を変動表示させる図柄制御手段と、前記図柄表示装置の複数の図柄ラインのいずれが有効かを表示する有効ライン特定手段と、を有し、第１の当たり又は第２の当たりが発生した際に、前記図柄制御手段が、前記図柄表示装置に前記第１の当たりに対応する図柄と第２の当たりに対応する図柄とを同時に表示させ、第１の当たりのときには、有効ライン特定手段が、第１の当たり図柄の表示されている図柄ラインが有効であることを表示し、第２の当たりのときには、有効ライン特定手段が第２の当たり図柄の表示されている図柄ラインが有効であることを表示することを特徴とするパチンコ機。」
（２）申立て理由の概要
　申立人、町田彬は、証拠として、甲第１号証（特開平７−９６０７１号公報）、
甲第２号証（特開平２−２９９６７９号公報）、
甲第３号証（特開平３−２６１４９３号公報）、
甲第４号証（特開昭６２−２５４７８７号公報）、
甲第５号証（特開平６−１９０１１９号公報）、
甲６号証（特開平７−６８０２７号公報）を提出し、請求項１ないし３に係る発明は、甲第３号証、甲第５号証、甲第６号証に記載された発明であるから特許法第２９条第１項３号の規定に違反し、さらに、甲第１号証ないし甲第６号証に記載された発明に基づいて当業者が容易に発明をすることができたものであるから、特許法第２９条第２項の規定に違反して特許されたものであるから、特許を取り消すべき旨主張している。
（３）申立人が提出した各号証記載の発明
甲１号証には、
　「【請求項１】複数の識別情報を可変表示可能な可変表示装置を備え、予め定めた識別情報で停止表示する特定表示状態のとき、遊技者に付加価値を与えるようにしたパチンコ機において、可変表示装置は、表示窓内に識別情報として左図柄、中図柄、右図柄を表示すると共に、特定識別情報が揃って停止表示する有効ラインを複数備え、該有効ラインの何れかには特定表示状態が成立する可能性が生じるように特定識別情報を表示すると共に、中図柄を各有効ラインに対して共通としたことを特徴とするパチンコ機。
　【請求項２】　最初の図柄が停止したときは、表示窓内には特定状態となる可能性を有する特定識別情報が表示されるようにした請求項１記載のパチンコ機。」（第１欄第２行又第１４行）、
　「この発明は、パチンコ機に関し、特に複数の識別情報を可変表示可能な可変表示装置を備え、停止表示する識別情報が予め定めた識別情報のとき、遊技者に付加価値を与えるようにしたパチンコ機に関するものである。」（第１欄第２０行〜第２４行）、
　「識別情報として左図柄、中図柄、右図柄を有し、複数ある有効ラインの何れかには、特定状態となる可能性を備える特定識別情報が現れると共に中図柄には外れ図柄が含まれないため、リーチ状態の期待感が持続する。」（第２欄第３６行〜第４０行）、
　「【００１１】そして、本発明に係るパチンコ機１では、定められたプログラムに従って遊技が進行し、図柄始動口４に打球が入賞すると、可変表示装置５における図柄の可変表示を開始し、所定時間経過後、或は図柄停止スイッチを遊技が操作したとき、可変表示を停止する。この可変表示の停止に際しては、先ず最初に、例えば左図柄が停止する。この左図柄には、外れ図柄が含まれていないで、大当たりになる可能性が常にある。次に、右図柄が停止する。この右図柄は、上記左図柄と逆配列の図柄である。従って、通常のリーチ状態が出現するばかりではなく、トリプルリーチ、ダブルリーチが出現し、大当たりになる期待感が高い。」（第３欄第４４行〜第４欄第５行）、
　「【発明の効果】以上要するに本発明は、複数の識別情報を可変表示可能な可変表示装置を備え、予め定めた識別情報で停止表示する特定表示状態のとき、遊技者に付加価値を与えるようにしたパチンコ機において、可変表示装置は、表示窓内に識別情報として左図柄、中図柄、右図柄を表示すると共に、特定識別情報が揃って停止表示する有効ラインを複数備え、該有効ラインの何れかには特定表示状態が成立する可能性が生じるように特定識別情報を表示すると共に、中図柄を各有効ラインに対して共通としたので、識別情報である図柄を確認し易いばかりではなく、遊技に不慣れな初心者等であっても、大当りと間違えることがない興趣の高い遊技が可能なパチンコ機を提供する。また、本発明に係るパチンコ機によれば、常に大当りになる可能性が存在し、期待感が持続するばかりではなく、ダブルリーチ、トリプルリーチ、特殊リーチが出現する多様で且つ遊技性が高く、興趣に富んだ遊技が可能である。」（第５欄第１行〜第６欄第２行）が、
甲第２号証には、
「複数種類の識別情報を可変表示可能な識別情報表示部が複数配設された可変示装置と、前記複数の識別情報表示部が停止したときの組合せ表示状態を判定する表示状態判定手段と、該表示状態判定手段から識別情報表示部の組合せが複数であるうちの１つの、特定識別情報の組合せとなって特定表示状態である旨の判定出力があることに基づいて遊技者に所定の価値を付与する所定価値付与手段と、を備えた弾球遊技機において、前記表示状態判定手段は、前記複数の識別情報表示部の組合せに対して複数設定される有効ライン上の組合せ表示状態を判定するように構成され、前記可変表示装置は、前記複数の有効ラインのうち１つの有効ライン上に特定表示状態が成立する可能性が生じたときに、他の少なくとも１つの有効ライン上にも特定表示状態が成立する可能性が生じるように特定識別情報を識別情報表示部に表示するよにしたことを特徴とする弾球遊技機。」（第１頁左欄第５行〜右欄第５行）、
　「以上、実施例について説明してきたが、この実施例においては、左ドラムと右ドラムに表示される図柄が、複数ある有効ラインのいずれかの有効ライン上に大当たりとなる図柄である場合には他の有効ライン上にも大当たりとなる図柄が表示される場合があるので、そのような場合には、大当りとなる期待感がより一層高まり、遊技者の興趣を極めて強烈に引き付けることができる。」（第１３頁右下欄第３行〜第１０行）が、
甲第３号証には、
　「表示態様が変化可能な可変表示部を複数有する可変表示装置と、前記複数の可変表示部のうち有効となる可変表示部を特定する有効表示部特定手段と、該有効表示部特定手段によって特定された可変表示部が予め定めた表示結果となったことに基づいて遊技者に所定の遊技価値を付与する遊技価値付与手段と、を備えた可変表示装置付遊技機。」（第１頁左下欄第５行〜第１２行）、
　「更に、可変表示装置９０として、第６図に示すような構成のものでもよい。ここで、可変表示装置９０の構成について説明すると、可変表示装置９０は、遊技盤１０の表面に取り付けられる取付基板９１を有し、その取付基板９１の中央に形成された正方形状の開口に可変表示部としての複数（３つ）の回転ドラム９２ａ〜９２ｃが臨んでいる。それぞれの回転ドラム９２ａ〜９２ｃの外周面には、複数の識別情報（図柄）が描かれ、その複数の識別情報のうち上下３つの識別情報が視認できるようになっている。このため、回転ドラム９２ａ〜９２ｃが停止した際には、縦３つ横３つの全部で９つの識別情報を表示する表示部が形成されることになる。つまり、可変表示装置９０においては、可変表示部として正確には上記９つの識別情報が表示される表示部を示すことになる。また、取付基板９１の両サイドには、回転ドラム９２ａ〜９２ｃで表示される識別情報の組合せインのうち有効な組合せラインを特定する有効ライン特定ＬＥＤ９３ａ，９３ｂ、９４ａ，９４ｂ、９５ａ，９５ｂ、９６ａ，９６ｂ、９７ａ，９７ｂが設けらている。具体的には、中央の横ラインを表示するために有効ライン特定ＬＥＤ９３ａ、９３ｂが設けられ、上部の横ラインを表示するために有効ライン特定ＬＥＤ９４ａ、９４ｂが設けられ、下部の横ラインを表示するために有効ライン特定ＬＥＤ９５ａ、９５ｂが設けられ、左上部から右下がりのラインを表示するために有効ライン特定ＬＥＤ９６ａ、９６ｂが設けられ、左下部から右上がりのラインを表示するために有効ライン特定ＬＥＤ９７ａ、９７ｂが設けられている。」（第７頁右下欄第５行〜第８頁左上欄第１６行）、
　「このように、第６図に示す可変表示装置９０においても、可変表示装置９０に設けられる複数の可変表示部としての回転ドラム９２ａ〜９２ｃの識別情報が表示される表示部の組合せラインのうち有効となる組合せライン自体が有効ライン特定ＬＥＤ９３ａ〜９７ｂによって明確に特定されるので、有効となる組合せラインを遊技者は、即座に見分けることができる。また、有効となる組合せラインが回転ドラム９２ａ〜９２ｃの回転動作毎に変更されていると共に所定の停止条件が成立したときにその変更が停止されるので、仮にいずれかの組合せライン上の表示結果が大当たり状態となったときでも、その組合せラインが有効な組合せラインとして特定されない場合には、遊技者に大当たり状態を提供することはない。つまり、可変表示部としての回転ドラム９２ａ〜９２ｃの可変表示による特定識別情報の表示可能性と、有効ライン特定ＬＥＤ９３ａ〜９７ｂにる有効な組合せラインの特定の可能性とが組み合わさって遊技者に所定の遊技価値を付与するものであるため、回転ドラム９２ａ〜９２ｃの可変表示動作以外の要因によっても遊技者に所定の遊技価値を付与することになり、より遊技の興趣を盛り上げることができるものである。」（第８頁左下欄第４行〜右下欄７行）、
　「▲２▼可変表示部として、７セグメントＬＥＤやＬＥＤだけでなく、ドット・マトリックス・ディスプレイ、ＬＣＤ等の電気的可変表示器や回転ドラム、回転円盤等の機械的可変表示部材であってもよい。」　（第９頁左上欄第３行〜第７行）、
　「▲４▼上記した実施例では、有効となる可変表示部が変更されても、遊技価値付与手段によって付与される価値が同一であるものを示したが、付与される価値が異なるものであってもよい。」
（第９頁左上欄第１７行〜第２０頁）、
　「以上、説明したところから明らかなように、この発明に係る可変表示装置付遊技機は、複数の可変表示部のうち有効となる可変表示部が特定されるように構成されるので、可変表示部自体が可変表示されることと、有効とされる可変表示部が特定されることとが組み合わさることになり、これにより遊技者に所定の遊技価値を付与する可能性が可変表示部の可変表示動作以外の要因によっても決定され、遊技の興趣を盛り上げることができる。また、可変表示装置に設けられる複数の可変表示部のうち有効となる可変表示部自体が特定されるので、有効な可変表示部を遊技者は、即座に見分けることができる。」（第９頁右上欄第１５行〜左下欄第７行）が、
甲第４号証には、
　「▲１▼メダルの投入を検出するメダル検出手段（Ｓ５）、このメダル投入検出手段（Ｓ５）の情報に基づいて、複数種類の絵柄のうちの所要数を選択して複数列、複数行に整列表示する絵柄表示手段（１００）、この絵柄表示手段（１００）にて表示された絵柄の複数種類の入賞配列ラインを設定可能な入賞配列ライン設定手段（１０１）、この入賞配列ライン設定手段（１０１）にて設定された入賞配列ライン上に特定の絵柄配列が成立したことを判別する入賞判別手段（１０２）を備えたスロットマシンであって、前記入賞配列ライン設定手段（１０１）を、前記メダル投入検出手段（Ｓ５）の情報に基づいて、複数種類の入賞配列ラインをある確率分布をもって選択表示すべく構成してあるスロットマシン。」（第１頁左欄第５行〜第１９行）、
　「▲４▼前記入賞配列ライン設定手段（１０１）が前記絵柄表示手段（１００）による絵柄表示後に入賞配列ラインを表示すべく構成されている特許請求の範囲第▲１▼項に記載のスロットマシン。」（第１頁右欄第１０行〜第１３行）、
　「▲５▼　前記絵柄表示手段（１００）が外周面に複数種類の絵柄を付記してある数本のリール（Ｒ１），（Ｒ２），（Ｒ３）、これらリール（Ｒ１），（Ｒ２），（Ｒ３）を各別に駆動回転させるモータ（Ｍ１），（Ｍ２），（Ｍ３）、これらのモータ（Ｍｌ），（Ｍ２），（Ｍ３）を起動させるスタートスイッチ（ＳＷ０）、前記モータ（Ｍ１），（Ｍ２），（Ｍ３）を各別に停止させる停止スイッチ（ＳＷ１），　（Ｓ２），（ＳＷ３）を備えたものである特許請求の範囲第▲１▼項に記載のスロットマシン。」（第１頁右欄第１４行〜第２頁左上欄第２行）、
　「第７図はスロットマシンを示し、これは、表示パネル部（１）に、複数種類の絵柄を３列、３行状態で整列表示するための絵柄表示窓（２）と、表示された絵柄に対する複数種類の入賞配列ラインを選択表示するためのライン表示窓（３）、ならびに、入賞メダル数をデジタル表示する入賞表示窓（４）とを形成する」（第３頁左上欄第１３行〜第１９行）、
　「（イ）上述実施例では、ライン表示窓（３）を上下の中央位置に一つだけ形成したが、これに限定されるものではなく、例えば、第８図に示すように、上段と下段に夫々ライン表示窓（３），（３）を形成して、リール（Ｒ４）の外周面に付記された入賞配列ラインの二箇所を表示すべく構成してもよい。」（第４頁右下欄第７行〜第１３行）が、
甲第５号証には、
　「複数種類の識別情報を可変表示可能な可変表示部を複数有するとともに、複数本の組合せ有効列が定められた可変表示装置を含み、前記複数の可変表示部の可変停止時の表示結果が前記複数本の組合せ有効列のうちのある組合せ有効列上で予め定められた特定の識別情報の組合せとなった場合に所定の遊技価値が付与可能となる遊技機であって、前記複数本の組合せ有効列のうちの複数本の組合せ有効列上で前記特定の識別情報の組合せが成立した場合に特別の遊技価値を付与可能な特別価値付与手段を含むことを特徴とする、遊技機。」（第１欄第２行〜第１２行）、
　「本発明は、パチンコ遊技機やコイン遊技機あるいはスロットマシンなどで代表される遊技機に関する。詳しくは、複数種類の識別情報を可変表示可能な可変表示部を複数有するとともに、複数本の組合せ有効列が定められた可変表示装置を有し、前記複数の可変表示部の可変停止時の表示結果が前記複数本の組合せ有効列のうちのある組合せ有効列上で予め定められた特定の識別情報の組合せとなった場合に所定の遊技価値が付与可能な状態となる遊技機に関する。」（第１欄第１５行〜第２３行）、
　「しかし、この種の従来の遊技機では、可変表示装置において複数本の組合せ有効列上に特定の識別情報の組合せが成立した場合でも、１本の組合せ有効列上に特定の識別情報の組合せが成立した場合と同じ遊技価値しか付与されないため、遊技者が不満を感じるという欠点があった。」（第１欄第３６行〜第４１行）、
　「本発明によれば、可変表示装置において特定の識別情報の組合せが複数本の組合せ有効列上で成立した場合に、特別の遊技価値が付与される。したがって、特定の識別情報の組合せが成立した組合せ有効列が複数本である場合には１本の場合とは異なる遊技価値が付与可能となる」（第２欄第１０行〜第１５行）、
　「このようにリーチ状態のときに、リーチが発生した有効ライン上の各図柄表示部を囲む枠を表示するという制御は、第３図柄の停止時にも行なわれる。この場合、２本の対角線と、中央で交差する２本の有効ラインにおいてリーチ状態が発生する可能性があり、リーチ状態が発生すればその有効ダリ上の各図柄表示部に、表示枠が表示される。同様にもしもこの時点で、停止した図柄のすべてがフルーツ図柄である場合には、第４図柄の停止時の識別情報がすべてフルーツとなれば大当りが発生する可能性がある。そのため、この場合には可変表示装置３上のすべての図柄表示部に、リーチ発生表示のための表示枠が表示される。このようにリーチ発生を示す表示枠を表示することにより、第４図柄が停止するまで遊技者は可変表示装置３上の表示を注視することになり、遊技の興趣が一層盛り上げられる。」（第３欄第２９行〜第４３行）、
　「このようにリーチラインを示す表示枠が実際に次の図柄停止時に大当たりが発生する可能性のある場所を示して変化することによって遊技者の興趣はさらに盛り上がる。」（第５欄第４７行〜第５０行）、
　「以上のようにこの実施例のパチンコ遊技機では、可変表示装置３の表示において、複数本の有効ライン上に特定の識別情報が成立した場合に、その成立により生じた大当りが終了した後の遊技において、ランダム１カウンタのカウント値に対する当り判定値の個数が多くされて大当りの発生確率が高くなるという特別の遊技価値が付与される。このように特別の遊技価値が付与されることにより、複数本の有効ライン上に特定の識別情報を成立させた遊技者は、１本の有効ライン上に特定の識別情報を成立させた場合には得られないような大きな満足感を得ることができる。」（第１３欄第３２行〜第４２行）、
　「遊技価値として、大当りの他に、付与される遊技価値が大当りよりも低い中当り（たとえば、特定の有効ライン上に「７」　が２つ揃った場合に可変入賞球装置４を６秒間だけ１回開放させる）と、付与される遊技価値が中当りよりも低い小当り（たとえば、特定の有効ライン上に「７」が１つ揃った場合に可変入賞球装置４を１．５秒間だけ１回開放させる）との遊技状態が生じるように制御するようにしておき、大当り終了後の前記中当り、前記小当りの発生する確率を通常時よりも高くする。」（第１４欄第５行〜第１４行）が、甲第６号証には、「表示状態が変化して複数種類の表示態様を表示結果として導出表示可能な可如表示装置を含み、該可変表示装置の表示結果が予め定められた特定の表示態様となった場合に所定の遊技価値が付与可能となる遊技機であって、前記可変表示装置の表示結果の表示態様を決定する表示態様決定手段と、該表示態様決定手段により決定された内容に従って前記可変表示装置を制御する可変表示制御手段と、前記表示態様決定手段により決定された表示結果が前記特定の表示態様となる場合に、特定の表示態様となる前に報知するか否かを選択決定する選択決定手段と、該選択決定手段により報知する旨が決定された場合に、特定の表示態様となる旨を前記可変表示装置の表示結果が導出される前に報知する報知手段とを含むことを特徴とする、遊技機。」（第１欄第２行〜第１７行）、
　「本発明は、パチンコ遊技機やコイン遊技機あるいはスロットマシン等で代表される遊技機に関する。詳しくは、表示状態が変化して複数種類の表示態様を表示結果として導出表示可能な可変表示装置を含み、該可変表示装置の表示結果が予め定められた特定の表示態様となった場合に所定の遊技価値が付与可能となる遊技機に関する」（第１欄第２０行〜第２６行）、
　「【００４４】図７は、当りラインが複数本設定されている可変表示装置の場合の予告報知動作を示す図である。当りラインとは、可変停止時の可変表示装置により表示される複数の停止図柄の組合せがそのライン上において予め定められた特定の組合せとなっている場合に大当りが発生するという大当り発生の判断対象となる停止図柄の組合せラインのことである。
　【００４５】（Ａ）は当りラインが、上段，中段，下段の横３本と斜め対角線上に２本との合計５本定められており、この５本の当りライン上において停止図柄の組合せがぞろめになれば、大当りが発生する。そして、リーチの予告報知を行なう場合には、すべての図柄５７，５８，５９が可変表示中に、５本の当りライン上においてリーチが成立するラインをリーチライン６１で表示させる。また、大当りを予告報知する場合には、５本の当りライン上において停止図柄がぞろめとなる当りが成立するラインを当りライン６０で表示する。【００４６】（Ｂ）は、横方向３本と縦方向３本と斜め対角線上に２本との合計８本の当りラインが定められている可変表示装置の場合を示している。リーチを予告報知する場合には、ＬＣＤ表示装置５によりすべての図柄６２ａ〜６２ｉが可変表示されている最中に、８本の当りラインのうちリーチが成立するラインをリーチライン６４で表示するとともに、そのリーチライン上の図柄表示領域をリーチ枠６３ｇ，６３ｆ，６３ｂにより囲んで表示する。一方、大当りが発生する当り表示が行なわれることを予告報知する場合には、すべての図柄６２ａ〜６２ｉが可変表示されている最中に、８本の当りラインのうち停止図柄がぞろめとなり当りが成立するラインを当りライン６５により表示するとともに、その当りライン上にある図柄表示領域を当り枠６３ａ，６３ｉ，６３ｂにより囲んで表示する。【００４７】なお、（Ａ），（Ｂ）の場合に、当りライン６０，６５とリーチライン６１，６４とを色を異ならせる等して区別できるようにしてもよい。【００４８】この図７に示した当りラインが複数本ある可変表示装置の場合には、同時に複数本の当りライン上においてリーチが成立するといういわゆるダブルリーチが発生するようにしてもよい。また、可変表示装置の可変停止時の表示結果に従って大当りが発生した場合のその停止時の図柄（大当り図柄）の種類によって、以降の大当りが発生する確率が変動するようにしてもよい。このダブルリーチが発生する場合や確率変動が発生する場合には、ダブルリーチあるいは確率変動が生ずる大当り図柄（確率変動図柄）による大当りが発生する旨を通常のリーチや大当りとは別の態様で事前報知するようにしてもよい。【００４９】また、以上説明した実施例においては、事前報知の内容として、リーチおよび大当りの両方を報知するものを示したが、大当りのみを事前報知するものであってもよい。また、大当りのみの事前報知を行なう場合には、すべての図柄の可変表示を同時に停止させてもよい。」（第１２欄第２行〜第１３欄第４行）が、それぞれ各号証に開示されている。
（４）対比・判断
　（４．１）請求項１に係る発明について
　甲第１号証ないし甲６号証には、いずれも「停止時に表示される複数個の図柄に、第１の利益ある状態を提供する第１の当たり図柄を構成する図柄と、第２の利益ある状態を提供する第２の当たり図柄とを構成する図柄とが同時に表示できる」ようにしたパチンコ機の構成が備えられておらず、該構成を示唆する記載もない。そして、本件の請求項１に係る発明は、この構成を備えることで、遊技者にとって非常に有利な第１の当たりが発生しているのではないかという期待を持たせ、遊技の興趣を高める効果を奏するものである。
　よって、請求項１に係る発明は、甲第３号証、甲５号証、及び甲６号証に記載された発明ではなく、また、当業者が甲各号証に基づいて容易に発明をすることができたものとすることはできない
　（４．２）請求項２に係る発明について
　甲第１号証ないし甲６号証には、いずれも「当たりが発生した際に、図柄制御手段が、図柄表示装置に第１の利益ある状態が提供される第１の当たりに対応する図柄と第２の利益ある状態が提供される第２の当たりに対応する図柄とを同時に表示させ、そのいずれが有効かを表示する有効ライン特定段」を有するパチンコ機の構成が、備えられておらず、該構成を示唆する記載もない。そして、本件の請求項２に係る発明は、この構成を備えることで、有効ラインによって当たり図柄が最終的に確定するまで、遊技の興趣を高める効果を奏するものである。
　よって、請求項２に係る発明は、甲第３号証、甲５号証、及び甲６号証に記載された発明ではなく、また、当業者が甲各号証に基づいて容易に発明をすることができたものとすることはできない。（４．３）請求項３に係る発明について
　甲第１号証ないし甲６号証には、いずれも「当たりが発生した際に、図柄制御手段が、図柄表示装置に高確率状態へ移行する当たりが提供される第１の当たりに対応する図柄と高確率状態へ移行しない当たりが提供される第１の当たりに対応する図柄とを同時に表示させ、そのいずれが有効かを表示する有効ライン特定手段」を有するパチンコ機の構成が、備えられておらず、該構成を示唆する記載もない。そして、本件の請求項３に係る発明は、この構成を備えることで、有効ラインによって当たり図柄が最終的に確定するまで、遊技の興趣を高める効果を奏するものである。
　よって、請求項３に係る発明は、甲第３号証、甲５号証、及び甲６号証に記載された発明ではなく、また、当業者が甲各号証に基づいて容易に発明をすることができたものとすることはできない。
（５）むすび
　したがって、特許異議申立ての理由及び証拠によっては、本件の請求項１ないし３に係る発明の特許を取り消すことはできない。
　また、他に本件の請求項１ないし３に係る発明についての特許を取り消すべき理由を発見しない。
　よって、結論のとおり決定する。
【異議決定日】
平成１１年７月３０日（１９９９．７．３０）